(57)【要約】【課題】  排泥処理に要するコストを低減し、安定した汚泥の掻き寄せ及び汚泥の引き抜き効率の向上を可能とする浄水処理装置を提供する。【解決手段】  取水した原水に凝集剤を添加した被処理水を、水頭差による自然流下により多孔板２１の通孔から噴出させ、噴出した被処理水の水流の撹拌作用によってフロックを形成すると共にフロックを沈殿させる噴流攪拌部２０を設けてある浄水処理装置Ｘにおいて、噴流攪拌部２０が、沈殿したフロックを含む汚泥を、自然流下により汚泥貯溜部に移送する被処理水の流れ形成手段２４、２５を設けてある。【選択図】        図１
2006281019.tif 000002
【特許請求の範囲】
【請求項１】
取水した原水に凝集剤を添加した被処理水を、水頭差による自然流下により多孔板の通孔から噴出させ、噴出した被処理水の水流の撹拌作用によってフロックを形成すると共に前記フロックを沈殿させる噴流攪拌部を設けてある浄水処理装置において、
前記噴流攪拌部が、沈殿した前記フロックを含む汚泥を、自然流下により汚泥貯溜部に移送する被処理水の流れ形成手段を備えた浄水処理装置。
【請求項２】
前記流れ形成手段が、前記被処理水の流れ方向に直交して設置してある多孔板の下部に設けてある底部開口部と、下方ほど狭幅に形成された前記噴流攪拌部の底部に設けてある汚泥移送部とを用いて構成してある請求項１に記載の浄水処理装置。
【請求項３】
前記汚泥貯溜部の近傍に、前記汚泥の巻き上げを防止する巻き上げ防止手段を設けてある請求項１又は２に記載の浄水処理装置。
【請求項４】
前記噴流攪拌部の直後に、複層濾過部を設けた請求項１〜３の何れか一項に記載の浄水処理装置。
【発明の詳細な説明】
【技術分野】
【０００１】
本発明は、取水した原水に凝集剤を添加した被処理水を、水頭差による自然流下により多孔板の通孔から噴出させ、噴出した被処理水の水流の撹拌作用によってフロックを形成すると共に前記フロックを沈殿させる噴流攪拌部を設けてある浄水処理装置に関する。
【背景技術】
【０００２】
従来、浄水設備は、河川や湖沼等の水源地から水道原水を取水し、この水道原水中に含まれる濁質分である微粒子等を凝集沈殿して固液分離を行う凝集沈殿装置が設けてある。この凝集沈殿装置では、凝集剤の注入及び急速混和による凝集操作を行った水道原水に対してフロックを形成する凝集処理およびフロックの沈澱処理を行う。そのため、フロキュレータ等の攪拌機を用いて機械的な攪拌エネルギーによりフロックを形成する攪拌池と、成長したフロックを沈殿分離させる沈澱池を組み合わせたものが一般的である。しかし、これには攪拌機の駆動動力とともに、攪拌池と沈殿池とを設置する大きなスペースを必要としている。
【０００３】
近年、凝集沈殿装置の一種として、例えば特許文献１及び２に開示される噴流攪拌固液分離装置（ＪＭＳ）が提案されている。
この噴流攪拌固液分離装置は、水道原水の水流方向と垂直になるように多孔板を複数枚挿入して水槽を仕切ってある。そして、凝集剤を添加した水道原水を多孔板の円形通孔群（オリフィス群）から噴出させ、噴出した水道原水のエネルギーによって撹拌作用を得る。このように、水流中に適当数の多孔板を設置するだけで噴流撹拌を行えるので、駆動源を必要としないため省エネルギー化が図れる。
そして、水道原水の噴流攪拌により沈殿性のフロックが成長する。そして、前後の多孔板同様のオリフィス群を左右交互に配列することにより、成長したフロックは多孔板で区画形成された流路中で順次沈殿する。従って、流路中に水流に対して垂直に多孔板を設置することによりフロックの形成と沈殿とを同時に行うことができるので、前記凝集沈殿装置のように、攪拌池と沈殿池とを設置する大きなスペースを必要としない。
【０００４】
この噴流攪拌固液分離装置において、複数の多孔板で形成された区画の底部には、ほぼ全面にフロックが沈殿する。この沈殿したフロックを含んだ汚泥は、排泥手段により排泥処理が行われる。この排泥処理は、以下の方法が知られている。
例えば、区画の底部に沈殿した汚泥を、汚泥掻き寄せ装置（排泥手段の一例）により機械的に掻き寄せた後、或いは、区画の底部に設けられたノズル（排泥手段の一例）からの水の噴出による水圧で掻き寄せた後、汚泥排出弁を開いて排泥する。
また、各区画の底部をホッパー形状（特許文献２における部材１５）とし、ホッパー底部に排泥のための開閉式弁（特許文献２における部材１７）を設け、適宜開弁することにより排泥する。
これら構成により、汚泥を効率よく外部に排出することが可能となっていた。
【０００５】
【特許文献１】特開２０００−３３４２１３号公報（段落０００２〜０００４、図１等参照）
【特許文献２】特開２００３−１９４０３号公報（段落０００２〜０００４、図１〜２等参照）
【発明の開示】
【発明が解決しようとする課題】
【０００６】
上述した噴流攪拌固液分離装置における排泥処理において、汚泥掻き寄せ機や水噴出ノズル等の外部動力の必要な排泥手段を設けた場合、排泥手段の設備、駆動、メンテナンス等にコストを要する。
また、汚泥掻き寄せ機の故障や、水噴出ノズルが汚泥等により詰まる等、排泥手段のトラブルが発生した場合には、汚泥の安定した掻き寄せができない。このとき、噴流攪拌固液分離装置の運転を停止して他の手段により強制的に排泥する必要がある。
【０００７】
さらに、各区画の底部をホッパー形状として排泥する場合、例えば、特許文献２の構成のように各区画に複数の開閉弁を設けることにより効率よく排泥できる。しかし、この場合、複数の開閉弁に要する設備費が嵩む。また、このとき引き抜かれた汚泥は上述した排泥手段で掻き寄せたときと比べて濃縮されていないため、汚泥引き抜き効率が低下する。
【０００８】
一方、噴流攪拌固液分離装置では、処理水の水質の向上が求められている。これについては、多孔板枚数を増加させると水道原水の噴流攪拌の機会が増加するため、効率よくフロックを形成させて沈殿させることができ、結果的に水質が向上する。しかし、多孔板枚数の増加による区画部が増加し、それに伴い、排泥手段の設置数も増加するため、その分、排泥手段に要するコストが嵩む。
【０００９】
従って、本発明の目的は、排泥手段に要するコストを低減し、安定した汚泥の掻き寄せ及び汚泥の引き抜き効率の向上を可能とする浄水処理装置を提供することにある。
【課題を解決するための手段】
【００１０】
上記目的を達成するための本発明に係る浄水処理装置は、取水した原水に凝集剤を添加した被処理水を、水頭差による自然流下により多孔板の通孔から噴出させ、噴出した被処理水の水流の撹拌作用によってフロックを形成すると共に前記フロックを沈殿させる噴流攪拌部を設けてある浄水処理装置であって、その第一特徴構成は、前記噴流攪拌部が、沈殿した前記フロックを含む汚泥を、自然流下により汚泥貯溜部に移送する被処理水の流れ形成手段を備えた点にある。
【００１１】
浄水処理装置の上流と下流とにおいては水頭差があるため、被処理水は上流から下流に向けて自然流下している。
本構成の流れ形成手段は、この水頭差による被処理水の自然流下の流れを利用する。
つまり、流れ形成手段は、汚泥を汚泥貯溜部に移送するための流れを自然流下により形成できるように構成してあるため、汚泥を移送する圧力は自然流下による水圧となる。従って、流れ形成手段により形成された被処理水の水圧が、底部に沈殿した汚泥に作用して汚泥を汚泥貯溜部に導く。
【００１２】
従って、上記第一特徴構成によれば、被処理水の自然流下により汚泥を汚泥貯溜部に移送できるため、汚泥移送のための汚泥掻き寄せ機や水噴出ノズル等の外部動力を要する排泥手段を必要としない。そのため、排泥手段の設備、駆動メンテナンス等に要するコストを低減できると共に、前記排泥手段の故障等のトラブルが発生する虞を低減できるため、安定した汚泥の掻き寄せを行うことができる。
さらに、被処理水の自然流下により汚泥を汚泥貯溜部に貯溜できるため、汚泥を濃縮した状態で、効率よく濃縮汚泥を引き抜くことができる。
【００１３】
本発明に係る浄水処理装置の第二特徴構成は、前記流れ形成手段が、前記被処理水の流れ方向に直交して設置してある多孔板の下部に設けてある底部開口部と、下方ほど狭幅に形成された前記噴流攪拌部の底部に設けてある汚泥移送部とを用いて構成してある点にある。
【００１４】
ここで、沈降するフロックは下方ほど狭幅に形成された噴流攪拌部の底部の斜面を経由して汚泥移送部に達し、汚泥として一時貯溜される。
そして、多孔板の下部に設けてある底部開口部は、例えば溝状の汚泥移送部が汚泥貯溜部に至るまで連通するように構成する。
【００１５】
ここで、被処理水は、多孔板の通孔及び底部開口部から噴出する。そのため、流れ形成手段を、多孔板の下部に設けてある底部開口部と、噴流攪拌部の底部に設けてある汚泥移送部とから構成すると、底部開口部から噴出した被処理水は、汚泥移送部において汚泥貯溜部に至る流れを形成する。この流れは、汚泥移送部に一時堆積している汚泥を汚泥貯溜部に移送する水圧を有する流れ（汚泥移送流）となる。
【００１６】
従って、上記第二特徴構成によれば、噴流攪拌部の底部が下方ほど狭幅に形成されているため、この底部に設けてある汚泥移送部に汚泥を効率よく集積できる。そして、このように効率よく汚泥を集積できる位置に、汚泥移送流が流通するように構成できるため、フロックが沈降した位置で直ちに被処理水の自然流下の水圧を利用して汚泥貯溜部に移送できる。そのため、無動力による汚泥の移送と汚泥の濃縮とを合理的に行うことができる。
【００１７】
本発明に係る浄水処理装置の第三特徴構成は、前記汚泥貯溜部の近傍に、前記汚泥の巻き上げを防止する巻き上げ防止手段を設けてある点にある。
【００１８】
上記第三特徴構成によれば、仮に、前記汚泥移送流が汚泥貯溜部に高速で流入したとしても、汚泥が舞い上がって、例えば下流に汚泥が流出するのを防止できる。そのため、汚泥を確実に捕捉できる。
【００１９】
本発明に係る浄水処理装置の第四特徴構成は、前記噴流攪拌部の直後に、複層濾過部を設けた点にある。
【００２０】
噴流攪拌部の後段では、高度な浄水処理を行うために微小なフロックを除去することがある。本構成では、複層濾過部により微小なフロックを除去する。従って、上記第四特徴構成によれば、噴流攪拌部の直後に沈殿池等の沈殿処理部を設けない構成となる。
一般に、複層濾過部は、沈殿池等で構成される沈殿処理部に比べてコンパクトに構成できる。従って、本構成のように、複層濾過部で微小なフロックを除去する構成を適用すると、浄水処理装置の設置に際し、省スペース化を図ることができる。さらに、当該沈殿処理部を設けると必要となる排泥設備が不要となるため、その分、コストの削減が可能となる。
【発明を実施するための最良の形態】
【００２１】
以下、本発明の実施例を図面に基づいて説明する。
図１〜２に本発明の浄水処理装置Ｘの構成概略図を示す。
浄水処理装置Ｘは、取水した原水に凝集剤を添加した被処理水が流入する流入部１０と、フロックを形成すると共にフロックを沈殿させる噴流攪拌部２０とを備えている。被処理水は、噴流攪拌部２０から浄水処理装置Ｘの外部に配水される。
【００２２】
原水は、例えば、水道原水が例示されるがこれに限られるものではない。原水を水道原水とした場合、本発明の浄水処理装置Ｘは、水道原水を浄化して配水する浄化設備の一部として適用可能である。
【００２３】
水道原水の取水は、公知の方法により実施できる。例えば、河川や湖沼等の水源地から水道原水を汲み上げる取水ポンプや、水道原水に含まれる粒径の大きな石や砂等の夾雑物を除去するスクリーンや除塵機が設けてある取水手段により取水する。
取水した水道原水への凝集剤の添加は、水道原水中に含まれる濁質分である微粒子等を凝集してフロックを形成させるために行う。
凝集剤としては、ＰＡＣ（ポリ塩化アルミニウム）、硫酸バン土（硫酸アルミニウム）、塩化鉄、硫酸鉄、ＰＳＩ（ポリシリカ鉄）などの無機凝集剤、或いは、アクリルアミド系などの有機高分子凝集剤が適用可能である。また、必要に応じて、凝集補助剤として、アルギン酸ナトリウム・ベントナイト・粉末活性炭・活性珪酸等を添加する。さらに、凝集には最適のｐＨがあるため、ｐＨ調整薬品として、硫酸・苛性ソーダ（水酸化ナトリウム）・炭酸ナトリウムなど薬品を添加することが可能である。
【００２４】
噴流攪拌部２０は、水頭差による自然流下により被処理水を多孔板２１の通孔から噴出させ、噴出した被処理水の水流の撹拌作用によってフロックを形成すると共に前記フロックを沈殿させる。
噴流攪拌部２０は、被処理水の水流方向と垂直になるように多孔板２１ａを複数枚挿入して水槽１を仕切ってある。本実施例では、流入部１０から流入する被処理水の流れ方向に直交する５枚の多孔板２１ａを挿入した場合を例示したが、これに限られるものではない。この多孔板２１ａ同士の間隔は、被処理水の所望の流速が得られるように適宜設定可能である。そして、凝集剤を添加した水道原水を、多孔板２１ａの左右半面の何れかに偏在させてある円形通孔２２群（オリフィス群）から噴出させ、噴出した被処理水のエネルギーによって撹拌作用を得る。
【００２５】
そして、このような被処理水の噴流攪拌により沈殿性のフロックが成長する。前後の多孔板２１ａに設けてあるオリフィス群を左右交互に配列することにより、成長したフロックは多孔板２１ａで区画形成された区画部Ａ〜Ｅである流路部位を蛇行しながら沈殿する。このような蛇行流を水槽１内に発生させることにより、被処理水の攪拌の程度が増大するため、フロックを形成し易くなる。
【００２６】
また、区画部Ａ〜Ｅにおいて形成される流路を流れる被処理水の流れ方向に直交する２枚の多孔板２１ｂ、２１ｃを挿入してある。この多孔板２１ｂ、２１ｃにおいても、多孔板２１ａと同様のオリフィス群が形成してある。このとき、多孔板２１ｂ、２１ｃに設けてあるオリフィス群を左右交互に配列することにより、成長したフロックは各区画内を蛇行しながら沈殿する。また、区画部Ａ〜Ｅの下流端には、それぞれ、汚泥を貯溜する汚泥貯溜部２３が設けてある。
【００２７】
この多孔板２１ｂ、２１ｃに直交するように阻流板２８をそれぞれ配設することで滞留時間を長くすることができ、フロック形成を促進することが可能である。このとき、各区画Ａ〜Ｅにおいても被処理水が蛇行しながら流下する。
【００２８】
図３〜４に示したように、多孔板２１ａ〜２１ｃに設けてあるオリフィス群は、多孔板２１の左右半面の何れかに均等に分散させる、或いは、左右半面の何れかの上下方向や端部等に偏在させることが可能である。このオリフィス群を構成する円形通孔２２の数は適宜設定可能であるが、通常、噴出した被処理水の流速が０．０５〜０．３ｍ/秒となるように設定する。通孔の形状についても円形に限らず、楕円形、矩形等の形状が適用できる。
【００２９】
また、多孔板２１ａ〜２１ｃに設けてある円形通孔２２の孔径は、多孔板２１の挿入位置によって適宜変更することが可能である。
本実施例では、被処理水の水流速度を３段階に調節している。例えば、多孔板２１ａを経由して区画部Ａに流入する被処理水の流速を０．３０ｍ/秒になるように円形通孔２２の直径および個数を設定する。また、区画部Ａの流路中に設けられた多孔板２１ｂ、２１ｃを経由する被処理水の流速が、それぞれ０．１５ｍ/秒、０．１０ｍ/秒になるように円形通孔２２の直径および個数を設定する。
【００３０】
上述したように、多孔板２１に設ける通孔の配置、数、形状、孔径、及び、通孔の孔径と通孔の数とにより決定されるオリフィス群の開口面積等の通孔条件は、被処理水の所望の流速が得られるように適宜設定することが可能である。この設定は、流体解析ソフト等を用いたシミュレーションにより行うこともできる。そして、多孔板２１間の間隔と共に、上述した通孔条件における種々の要件を組み合わせることにより、フロック形成効率の向上、或いは、水槽の小型化を達成できると考えられる。
【００３１】
本発明の浄水処理装置Ｘでは、噴流攪拌部２０の噴流攪拌によって形成したフロックは沈殿し、このように沈殿したフロックを各区画部Ａ〜Ｅの下流端に設けてある汚泥貯溜部２３にて濃縮して外部に排出する排泥処理が行えるよう構成してある。この排泥処理について、区画部Ａを例にして説明する。尚、区画部Ｂ〜Ｅについても同様の構成となっている。
【００３２】
本構成では、排泥処理は、沈殿したフロックを含む汚泥を、被処理水の自然流下により汚泥貯溜部２３に移送する被処理水の流れ形成手段により行う。
この流れ形成手段は、この水頭差による自然流下の流れを利用する。
つまり、流れ形成手段は、汚泥を汚泥貯溜部２３に移送するための流れを自然流下により形成できるように構成してあるため、汚泥を汚泥貯溜部２３に移送するための圧力は自然流下による水圧となる。従って、流れ形成手段により形成された被処理水の水圧が、底部に沈殿した汚泥に作用して汚泥を汚泥貯溜部２３に導く。
このように、被処理水の自然流下により汚泥を移送できることにより、汚泥移送のための汚泥掻き寄せ機や水噴出ノズル等の外部動力を要する排泥手段を必要としない。さらに、被処理水の自然流下により汚泥を汚泥貯溜部２３に貯溜できるため、汚泥を濃縮した状態で、汚泥排出弁２７等の汚泥排出手段により引き抜くことができる。
【００３３】
本発明の流れ形成手段は、例えば、被処理水の流れ方向に直交して設置してある多孔板２１ｂ、２１ｃの下部に設けてある底部開口部２４と、下方ほど狭幅に形成された噴流攪拌部２０の底部に設けてある汚泥移送部２５とから構成する。
ここで、下方ほど狭幅に形成された噴流攪拌部２０の底部とは、各区画の底部を、傾斜角が６０°程度のホッパー形状に構成したものが例示されるが、これに限られるものではない。つまり、汚泥移送部２５は、ホッパー形状に形成された噴流攪拌部２０の底部に形成された溝状の部材とする（図４参照）。この溝状の汚泥移送部２５は、区画Ａの上流端から汚泥貯溜部２３に至るまで設ける。これにより、区画Ａで沈降するフロックはホッパー部の斜面を経由して汚泥移送部２５に達し、汚泥として一時貯溜される。
そして、図３に示したように、この多孔板２１ｂ、２１ｃの底部に設けてある底部開口部２４は、例えば溝状の汚泥移送部２５が区画Ａの上流端から汚泥貯溜部２３に至るまで連通するように構成する。
【００３４】
ここで、区画Ａに流入した被処理水は、多孔板２１ｂ、２１ｃの円形通孔２２及び底部開口部２４から噴出する。そのため、流れ形成手段を、多孔板２１ｂ、２１ｃの底部に設けてある底部開口部２４と、噴流攪拌部２０の底部に設けてある汚泥移送部２５とから構成すると、底部開口部２４から噴出した被処理水は、汚泥移送部２５において区画Ａの下流端の汚泥貯溜部２３に至る流れを形成する。この流れは、汚泥移送部２５に一時堆積している汚泥を汚泥貯溜部２３に移送する水圧を有する流れとなる。以後、流れ形成手段により形成された汚泥移送部２５内の汚泥貯溜部２３への流れを汚泥移送流と称する。
【００３５】
従って、噴流攪拌部２０の底部が下方ほど狭幅に形成されているため、この底部に設けてある汚泥移送部２５に汚泥を効率よく集積できる。そして、このように効率よく汚泥を集積できる位置に、汚泥移送流が流通するように構成してあるため、フロックが沈降した位置で直ちに被処理水の自然流下の水圧を利用して汚泥貯溜部２３に移送できる。そのため、無動力による汚泥の移送と汚泥の濃縮とを合理的に行うことができる。
【００３６】
底部開口部２４の開口面積を、多孔板２１に形成されるオリフィス群の開口面積の約１５％以下とすると、全体の処理性には影響を及ぼさない。
【００３７】
また、汚泥貯溜部２３の近傍に、汚泥の巻き上げを防止する巻き上げ防止手段２６を設けるのが好ましい。
この巻き上げ防止手段２６は、例えば汚泥貯溜部２３の上部に設けるのが好ましい。汚泥貯溜部２３は、板状や断面三角形となる部材により構成できるが、これに限られるものではない。
これにより、仮に汚泥移送流が汚泥貯溜部２３に高速で流入したとしても、汚泥が舞い上がって、例えば区画Ａの下流に汚泥が流出するのを防止できる。そのため、区画Ａで生じた汚泥を確実に捕捉できる。
断面三角形となる部材で構成した場合、斜面の傾斜角度を６０°程度とすれば、仮に、汚泥が巻き上げ防止手段２６の上方に舞い上がったとしても、沈降する汚泥はこの斜面を経由して汚泥貯溜部２３に導かれる。
【００３８】
〔別実施の形態１〕
上述した実施例においては、図５に示したように、噴流攪拌部２０と越流壁２を介して連設し、かつ、沈殿装置３１と集水トラフ３２とを有する処理水集水部３０を備えることが可能である。被処理水は、噴流攪拌部２０から処理水集水部３０へと流下し、流出部４０から浄水処理装置Ｘの外部に配水される。
処理水集水部３０では、噴流攪拌部２０では沈殿しなかった微小なフロックを沈殿除去する、所謂精密沈殿を行う。これにより、更に高度な浄水処理を行うことができる。
【００３９】
〔別実施の形態２〕
上述した実施例においては、被処理水が、噴流攪拌部２０から処理水集水部３０へと流下する場合を例示したが、これに限られるものではない。その他の実施形態としては、処理水集水部３０に替えて濾過処理を行う構成、例えば、噴流攪拌部２０の直後に複層濾過部を設ける構成とすることが可能である。
つまり、本構成では、複層濾過部により微小なフロックを除去することで、より高度な浄水処理を行うことができる。
一般に、複層濾過部は、処理水集水部３０のような沈殿処理部に比べてコンパクトに構成できる。従って、より高度な浄水処理を行う際に、処理水集水部３０に替えて複層濾過部を適用すると、浄水処理装置の設置に際し、省スペース化を図ることができる。
【００４０】
このとき、濾過損失増加速度（ｃｍ/ｈ）が所定値を超えないように、凝集剤や複層濾過部の構成を適宜選択する。例えば、当該所定値を４ｃｍ/ｈと設定し、この値を超えないようにするため、例えば凝集剤としてＰＳＩを適用し、さらに、複層濾過部は、例えばアンスラサイトと砂による複層の濾過システムを適用する。このように構成することで、濾過部の目詰まりが発生し難くなり、処理効率が優れ、かつ、濾過部のメンテナンスを極力少なくできる装置となる。
【００４１】
〔別実施の形態３〕
上述した実施例において、汚泥移送部２５を傾斜するように構成することが可能であるつまり、汚泥移送部２５において、上流端と比べて下流端が低くなるようにする。これにより、汚泥を移送する力を、自然流下の水圧だけでなく重力を利用することができるため、より迅速に汚泥を汚泥貯溜部２３に貯溜することができる。
【００４２】
一方、汚泥移送部２５内の汚泥移送流の勢いを失わない範囲において、下流端に対して上流端が低くすることも可能である。このとき、例えば、汚泥貯留部２３の深さを変更せず、単に、当該上流端のみを低く設定すると、その分、浄水処理装置Ｘの底面を形成するコンクリート等の材料を減らすことができ、浄水処理装置Ｘの敷設コストを削減できる。
【００４３】
〔別実施の形態４〕
上述した実施例において、汚泥移送部２５において、汚泥移送流の流量変更手段を設けることが可能である。このように流量変更手段を設けて汚泥移送流の流速を調節できるように構成すると、汚泥移送流が汚泥貯溜部２３に高速で流入するのを予め防止することができる。流量変更手段としては、例えば、各区画部Ａ〜Ｅにおいて汚泥移送部２５を複数設けるように構成する。
【図面の簡単な説明】
【００４４】
【図１】本発明の浄水処理装置の側面概略図
【図２】本発明の浄水処理装置の上面要部概略図
【図３】区画Ａの断面図
【図４】多孔板の概略図
【図５】本発明の浄水処理装置の別実施形態の概略図
【符号の説明】
【００４５】
Ｘ        浄水処理装置
２０      噴流攪拌部
２１      多孔板
２３      汚泥貯溜部
２４      底部開口部（流れ形成手段）
２５      汚泥移送部（流れ形成手段）
２６      巻き上げ防止手段
【図１】
2006281019.tif 000003
【図２】
2006281019.tif 000004
【図３】
2006281019.tif 000005
【図４】
2006281019.tif 000006
【図５】
2006281019.tif 000007